(57)【特許請求の範囲】
【請求項１】
作用部と、長手方向における作用部の後方側に接続固定された柄部とを有し、
前記柄部は、
前記長手方向に略直交する横断方向に突出し、前記柄部側から前記横断方向先端に向かって上方向に向いた凹状に湾曲し、前記柄部を握った親指の腹を当接するための湾曲面が設けられている第１の指掛け部を有し、
当該柄部を握った中指よりも後方側の部位が、前記第１の指掛け部よりも上側に位置する
ことを特徴とする手で握って使用される道具。
【請求項２】
請求項１に記載の手で握って使用される道具であって、
前記湾曲面は、
前記横断方向先端付近に上方向への反りを有する
ことを特徴とする手で握って使用される道具。
【請求項３】
請求項１に記載の手で握って使用される道具であって、
前記第１の指掛け部は、
前記柄部を握った親指の腹が当接する前記湾曲面に、複数の凹凸が設けられている
ことを特徴とする手で握って使用される道具。
【請求項４】
請求項１または２に記載の手で握って使用される道具であって、
前記第１の指掛け部は、
前記作用部側端部から前記柄部の後方側に向かって所定幅を有している
ことを特徴とする手で握って使用される道具。
【請求項５】
請求項１〜３のいずれか一項に記載の手で握って使用される道具であって、
前記柄部は、
前記横断方向に膨らみ、前記柄部を握った人差し指が当接する第２の指掛け部を有している
ことを特徴とする手で握って使用される道具。
【請求項６】
請求項１〜５のいずれか一項に記載の手で握って使用される道具であって、
前記柄部は、
上側端部が膨らんだ丸みのある形状である
ことを特徴とする手で握って使用される道具。
【請求項７】
請求項１〜６のいずれか一項に記載の手で握って使用される道具であって、
前記第１の指掛け部よりも後方側の隣接する位置に前記柄部を貫通して設けられた第３の指掛け部を有している
ことを特徴とする手で握って使用される道具。
【請求項８】
請求項１〜７のいずれか一項に記載の手で握って使用される道具であって、
前記柄部は、
前記作用部を収容する収容部を有している
ことを特徴とする手で握って使用される道具。
【請求項９】
請求項８に記載の手で握って使用される道具であって、
前記第１の指掛け部は、前記収容部の下側に位置している
ことを特徴とする手で握って使用される道具。
【請求項１０】
請求項５に記載の手で握って使用される道具であって、
前記第２の指掛け部の横断方向における頂点は、前記第１の指掛け部の横断方向における頂点よりも前方側に位置する
ことを特徴とする手で握って使用される道具。
【発明の詳細な説明】
【技術分野】
【０００１】
本発明は、手で握って使用される道具に関する。
【背景技術】
【０００２】
手で握って使用する道具には、例えば包丁や鋸のような物を切断する切断具がある。
【０００３】
食材を切るための道具である包丁には、切断対象物に対して刀身の刃を押し当て、下方向に力をかけて押し切る「押し切り」と、刀身の刃を切断対象物に押し当てながら水平方向に引いて切る「引き切り」などの使い方がある。
【０００４】
特許文献１には、押し切りの際に手の力を切断対象物に強く作用させるために親指を押し当てる微小突起体が、刀身の峰から直線上に連なる柄の上側部に設けられた包丁が開示されている。
【先行技術文献】
【特許文献】
【０００５】
【特許文献１】登録実用新案第３０７５８８７号公報
【発明の概要】
【発明が解決しようとする課題】
【０００６】
特許文献１の包丁は、微小突起体に親指の腹を当てがいながら押し切りや引き切りをして切断対象物を切断する。しかしながら、包丁の柄を握ると、通常、親指の位置は刀身の峰から直線上に連なる柄の上側部よりも横方向に少しずれた位置にあり、柄の上側部に設けられた微小突起体に親指を当てがった包丁の持ち方は、親指を捻る分、切断時の安定性に欠ける。
【０００７】
そのため、切断に必要な力を切断対象物に充分に作用させ、かつ、切断時に安定した状態で切断対象物を切ることができる切断具が望まれる。
【０００８】
そこで、本発明は、切断対象物に充分に力を作用させつつ、切断時の安定性を向上できる切断具などの手で握って使用される道具の提供を目的とする。
【課題を解決するための手段】
【０００９】
本願は、上記課題の少なくとも一部を解決する手段を複数含んでいるが、その例を挙げるならば、以下のとおりである。上記の課題を解決する本発明の一態様に係る手で握って使用する道具は、作用部と、長手方向における作用部の後方側に接続固定された柄部とを有し、前記柄部は、前記長手方向に略直交する横断方向に突出し、前記柄部側から前記横断方向先端に向かって上方向に向いた凹状に湾曲し、前記柄部を握った親指の腹を当接するための湾曲面が設けられている第１の指掛け部を有する。
【００１０】
また、前記第１の指掛け部は、前記柄部の下側に向かって湾曲した湾曲面を有しても良い。
【００１１】
また、前記湾曲面は、半径３ｍｍ〜２０ｍｍの円外周に沿った曲面であっても良い。
【００１２】
また、前記第１の指掛け部は、前記柄部の前記横断方向に３ｍｍ以上の長さを有しても良い。
【００１３】
また、前記第１の指掛け部は、前記柄部を握った親指が当接する前記湾曲面に、複数の凹凸が設けられても良い。
【００１４】
また、前記第１の指掛け部は、前記作用部側端部から前記柄部の後方側に向かって所定幅を有しても良い。
【００１５】
また、前記柄部は、前記横断方向に膨らみ、前記柄部を握った人差し指が当接する第２の指掛け部を有しても良い。
【００１６】
また、前記第２の指掛け部は、前記柄部を握った人差し指が当接する面に、複数の凹凸が設けられても良い。
【００１７】
また、前記第２の指掛け部は、前記柄部の前記横断方向に３ｍｍ以上の長さを有しても良い。
【００１８】
また、前記柄部を握った指の腹側が当接する凹部を下側端部に有しても良い。
【００１９】
また、前記柄部は、上側端部が膨らんだ丸みのある形状であっても良い。
【００２０】
また、前記第１の指掛け部よりも後方側の隣接する位置に前記柄部を貫通して設けられた第３の指掛け部を有しても良い。
【００２１】
また、前記柄部は、前記作用部を収容する収容部を有しても良い。
【００２２】
また、前記第１の指掛け部は、前記収容部の下側に位置しても良い。
【００２３】
また、前記第２の指掛け部の横断方向における頂点は、前記第１の指掛け部の横断方向における頂点よりも前方側に位置しても良い。
【００２４】
また、前記第１の指掛け部の頂点と、前記第２の指掛け部の頂点との前記長手方向における差分は、０ｍｍ〜３０ｍｍであっても良い。
【００２５】
また、前記手で握って使用される道具は、包丁、鋸、鎌、鉈、斧およびカッターナイフを含む切断具であっても良い。
【００２６】
また、前記手で握って使用される道具は、掘り起こし、鍬、鋤、鶴嘴および熊手を含む掘削具であっても良い。
【発明の効果】
【００２７】
本発明の一実施形態に係る手で握って使用される道具によれば、切断対象物に充分に力を作用させつつ、切断時の安定性を向上できる。
【００２８】
なお、上記以外の課題、構成および効果等は、以下の実施形態の説明により明らかにされる。
【図面の簡単な説明】
【００２９】
【図１】本実施形態に係る切断具（例えば、包丁）に関する図である。特に、図１（ａ）は、切断具である包丁の全体像の一例を示した図である。図１（ｂ）は、図１（ａ）における切断具のＡ−Ａ線端面図である。図１（ｃ）は、切断具を握った手の状態例を示した図である。
【図２】図２（ａ）は、図１に示す切断具を横断方向から見た図である。図２（ｂ）は、第１の指掛け部に設けられた湾曲面の反り部の形状を示した切断具の端面図である。図２（ｃ）は、第１の指掛け部に設けられた人差し指付け根当接部の形状を示した切断具の端面図である。
【図３】第二実施形態に係る切断具（例えば、包丁）に関する図である。特に、図３（ａ）は、切断具である包丁の全体像の一例を示した図である。図３（ｂ）は、図３（ａ）における切断具のＢ−Ｂ線端面図である。図３（ｃ）は、切断具を握った手の状態例を示した図である。
【図４】第１の指掛け部３０および第２の指掛け部の位置関係を説明するための図である。特に、図４（ａ）は、切断具を上方向から見た平面図と、横断方向から見た正面図とを示している。図４（ｂ）は、柄部の後方から長手方向に見た切断具と、図４（ａ）における切断具のＣ−Ｃ線断面図とを示している。
【図５】作用部が波型形状をした切断具を上方向から見た図である。
【図６】第三実施形態に係る切断具（例えば、鋸、鎌および鉈など）に関する図である。特に、図６（ａ）は、切断具である鋸を上方向から見た平面図および横断方向から見た正面図を示している。また、図６（ｂ）は、切断具である鎌を横断方向から見た正面図を示している。また、図６（ｃ）は、切断具である鉈を横断方向から見た正面図を示している。
【図７】第三実施形態の柄部を適用した掘削具の一例を示した図である。
【図８】第四実施形態に係る切断具（カッターナイフ）に関する図である。特に、図８（ａ）は、切断具を上方向から見た平面図である。図８（ｂ）は、切断具を横断方向から見た正面図である。
【発明を実施するための形態】
【００３０】
以下、本発明の例である各実施形態について図面を用いて説明する。
【００３１】
なお、本発明は、手で握って使用される道具であり、以下では、かかる道具の種類に含まれる包丁などの切断具を例に説明する。また、以下の説明において、長手方向は切断具の長さ方向（矢印１で示す方向）とし、横断方向は切断具の長さ方向に対して略直角な方向（矢印２で示す方向）であるものとする。また、作用部（または柄部）の上側端部側（または下側端部側）から下側端部（または上側端部側）への方向（矢印３で示す方向）を上下方向とする。また、作用部先端側を切断具の前方とし、柄部の作用部側端部とは逆側の端部を切断具の後方とする。また、各実施形態では、説明の便宜上、右手で切断具を握って使用した場合を例とする。
【００３２】
＜第一実施形態＞
図１は、本実施形態に係る切断具（例えば、包丁）１００に関する図である。特に、図１（ａ）は、切断具１００である包丁の全体像の一例を示した図である。図１（ｂ）は、図１（ａ）における切断具１００のＡ−Ａ線端面図である。図１（ｃ）は、切断具１００を握った手の状態例を示した図である。
【００３３】
これらの図に示すように、切断具１００は、作用部１０と、柄部２０とを有している。作用部１０は、切断具１００の刀身であり、下側端部に直線上に設けられている刃先１１で切断対象物を切断する。柄部２０は、切断具１００を握る部位であり、第１の指掛け部３０を有している。
【００３４】
第１の指掛け部３０は、指を捻ることなく自然な形で切断具１００を握った際に、右手の親指が当接する凸状の部位である。具体的には、第１の指掛け部３０は、柄部２０の作用部側端部から長手方向に所定幅（例えば、１０ｍｍ〜２０ｍｍ）を有し、上下方向における略中央の位置から下側端部付近に向かって横断方向（切断具１００の側面方向）に湾曲しながら突出している。
【００３５】
図１（ｂ）に示すように、第１の指掛け部３０は、Ａ−Ａ線断面における柄部２０の厚みＷ１から横断方向に最大長さｈ１だけ突出している。また、第１の指掛け部３０の最も突出した位置（頂点）から柄部２０の上側端部までの長さをＬ１とする。また、第１の指掛け部３０の湾曲面は、半径ｒ１の円外周に沿った形状をしている。
【００３６】
ここで、ｈ１の値は、３ｍｍ以上、好ましくは４ｍｍ以上、より好ましくは５ｍｍ以上であり２０ｍｍ以下とする。なお、ｈ１の長さは、親指の腹を押し付けた状態での指の厚みである腹幅を約８ｍｍ〜１２ｍｍ程度と想定した場合に、その約半分（または半分以上）の長さが基準となる。これは、親指が第１の指掛け部３０に安定して当接する長さを基準としている。
【００３７】
また、Ｗ１の値は、８ｍｍ〜３５ｍｍ、好ましくは１０ｍｍ〜３０ｍｍ、より好ましくは１２ｍｍ〜２５ｍｍである。また、Ｌ１の値は、１０ｍｍ〜５０ｍｍ、好ましくは１８ｍｍ〜４０ｍｍ、より好ましくは２０ｍｍ〜３５ｍｍである。なお、Ｌ１は、親指の長さよりも短い長さが基準となる。すなわち、親指を第１の指掛け部３０に当接させた状態において、親指の付け根と柄部２０の上側端部との間に若干の隙間が形成される長さを基準としている。なお、第１の指掛け部３０に親指の腹が押し付けられた時、柄部２０の上側端部に親指の付け根が押し付けられた状態を保持できる長さを基準としても良い。このような基準は、いずれも柄部２０の持ち易さを考慮した基準である。
【００３８】
また、円半径であるｒ１は、３ｍｍ〜２０ｍｍ、好ましくは５ｍｍ〜１８ｍｍ、より好ましくは８ｍｍ〜１２ｍｍとする。なお、図１に示す切断具１００は、右利き用を示しているため、第１の指掛け部３０が前方方向左側に設けられているが、例えば第１の指掛け部３０を、柄部２０に対して左右両側に設けることで、切断具１００を右利きおよび左利き兼用とすることが可能である。
【００３９】
図２は、図１に示す切断具１００を横断方向から見た図である。図示するように、柄部２０は、作用部１０に対して、長手方向における中心軸Ｘの後方側が上向きとなるように作用部１０に接続固定されている。
【００４０】
また、柄部２０の上側端部は、長手方向の略中央の位置から後方側端部付近に向かって上方向に膨らんだ丸みのある形状をしている。
【００４１】
また、柄部２０の下側端部には、人差し指、中指、薬指および小指の腹側を各々当接させる凹み４０が形成されている。かかる凹み４０は、長手方向に連続して形成されている。なお、人差し指の腹側が当接する凹み４１は、他の指が当接する凹み４０よりも上側端部に向かってより大きく凹んでいる。人差し指の腹で切断具１００をしっかりと握るためである。
【００４２】
このような第１の指掛け部３０を有する切断具１００によれば、図１（ｃ）に示すように、自然な形で切断具１００を握った際に、親指が第１の指掛け部３０に引っ掛かかり、適度に当接するため、切断具１００の使用時に作用部１０に対する力の入り方をコントロールし易くなる。そのため、切断時に安定した状態で切断対象物を切ることができる。
【００４３】
特に、第１の指掛け部３０の上側面は、親指の腹の形状に沿うように湾曲しているため、指に引っ掛かり易く、親指の力を柄部２０に伝え易くなっている。これにより、ユーザは、作用部１０に対する力の入り方をよりコントロールし易くなる。
【００４４】
また、手のひらに当接する柄部２０が膨らんだ丸みのある形状をしているため、切断具１００を握った手のひらにフィットし、より安定して切断具１００を握ることができる。
【００４５】
さらにまた、柄部２０の下側端部には各指の腹側が当接する凹み４０が形成されているため、切断具１００をより強く握ることができ、より安定して切断対象物に力を加えることができる。
【００４６】
なお、第１の指掛け部３０は、当接した親指が滑り難いように、湾曲面に複数の凹凸を設けても良い。凹凸の形状は、例えば横断方向に沿った所定幅の線状であるが、その形状は特に限定されない。例えば、凹凸の形状は、長手方向に沿った所定幅の線状であっても良く、半球状をしていても良い。これによれば、ユーザは、柄部２０に対して親指の力をより伝え易くなり、切断具１００をより扱い易くなる。
【００４７】
また、図２（ｂ）に示すように、第１の指掛け部３０には、湾曲面の横断方向端部付近が上方向に向かって反った形状の反り部３１が設けられても良い。また、図２（ｃ）に示すように、第１の指掛け部３０の湾曲面に設けた複数の凹凸は、不規則な方向に凸凹した段差３２であっても良い。また、図２（ｃ）に示すように、第１の指掛け部３０が設けられた側とは反対側の柄部２０の上面に、柄部２０を握った手の人差し指の付け根付近が当接する人差し指付け根当接部３３を設けても良い。人差し指付け根当接部３３は、人差し指の付け根付近が絡まり易いように、通常の柄部２０の上面に比べて曲率半径の大きい面取りが施されている。具体的には、人差し指付け根当接部３３は、柄部２０の上面に半径４ｍｍ以上、好ましくは６ｍｍ以上の曲面を設けたものである。
【００４８】
以上、第一実施形態に係る切断具１００について説明した。
【００４９】
＜第二実施形態＞
図３は、第二実施形態に係る切断具（例えば、包丁）２００に関する図である。特に、図３（ａ）は、切断具２００である包丁の全体像の一例を示した図である。図３（ｂ）は、図３（ａ）における切断具２００のＢ−Ｂ線端面図である。図３（ｃ）は、切断具２００を握った手の状態例を示した図である。なお、第一実施形態と同様の構成については同一の符号を付して説明を省略する。
【００５０】
これらの図に示すように、切断具１００の柄部２０は、第１の指掛け部３０および第２の指掛け部５０を有している。なお、第２の指掛け部５０以外の柄部２０の基本的な構成は前述と同様のため、詳細な説明は省略する。
【００５１】
第２の指掛け部５０は、指を捻ることなく自然な形で切断具２００を握った際に、右手の人差し指が当接する凸状の部位である。具体的には、第２の指掛け部５０は、柄部２０の作用部側端部から長手方向に所定幅（例えば、５ｍｍ〜２０ｍｍ）を有し、上下方向における上側端部から下側端部付近に向かって横断方向に緩やかに膨らんだ形状をしている。
【００５２】
図３（ｂ）に示すように、第２の指掛け部５０は、Ｂ−Ｂ線断面における柄部２０の厚みＷ２から横断方向に最大長さｈ２だけ突出している。また、Ｌ２は、第２の指掛け部５０の面平均の長さを示している。
【００５３】
ここで、ｈ２の値は、３ｍｍ以上、好ましくは４ｍｍ以上、より好ましくは５ｍｍ以上であり１５ｍｍ以下とする。また、Ｌ２の値は、５ｍｍ〜３０ｍｍ、好ましくは７ｍｍ〜２５ｍｍである。Ｌ２の値は、人差し指の引っ掛かり易さ（当接し易さ）を基準に設定される。また、Ｗ２の値は、８ｍｍ〜３０ｍｍ、好ましくは１０ｍｍ〜２５ｍｍである。Ｗ２の値は、第１の指掛け部３０および第２の指掛け部５０の厚みを考慮して、柄部２０の握り易さを基準に設定される。そのため、Ｗ２は、Ｗ１よりも小さな値が設定される。
【００５４】
このような第２の指掛け部５０を有する切断具２００によれば、図３（ｃ）に示すように、切断具２００を自然な形で握った際に、人差し指が第２の指掛け部５０に引っ掛かかり、適度に当接する。特に、第２の指掛け部５０は、人差し指の内側（腹側）の形状に沿うように緩やかに膨らんだ縦長の形状をしているため、指に引っ掛かり易く、人差し指の力を柄部２０に伝え易くなっている。特に、硬い物（例えば、生のカボチャや硬い餅など）を押し切りする際に、手が切断具２００の前方方向に前滑りすることを防ぐことができる。これにより、切断具２００の使用時に作用部１０に対する力の入り方をコントロールし易くなる。そのため、切断時に安定した状態で切断対象物を切ることができる。
【００５５】
なお、第２の指掛け部５０も、当接した人差し指が滑り難いように、表面に複数の凹凸を設けても良い。凹凸の形状は、例えば表面に沿って長手方向に伸びる線状であるが、その形状は特に限定されない。例えば、凹凸の形状は、表面に沿って上下方向に伸びる線状であっても良く、半球状をしていても良い。これによれば、ユーザは、柄部２０に対して親指の力をより伝え易くなり、切断具２００をより扱い易くなる。
【００５６】
以上、第二実施形態に係る切断具２００について説明した。
【００５７】
次に、第一実施形態および第二実施形態に係る第１の指掛け部３０および第２の指掛け部５０の位置関係について説明する。
【００５８】
図４は、第１の指掛け部３０および第２の指掛け部５０の位置関係を説明するための図である。特に、図４（ａ）は、切断具２００を上方向から見た平面図と、横断方向から見た正面図とを示している。図４（ｂ）は、柄部２０の後方から長手方向に見た切断具２００と、図４（ａ）における切断具２００のＣ−Ｃ線断面図とを示している。
【００５９】
これらの図に示すように、ｌｉｎｅ１が通過する第１の指掛け部３０の頂点と、ｌｉｎｅ２が通過する第２の指掛け部５０の頂点との間の長手方向における長さをＳ１とする。また、ｌｉｎｅ１が通過する第１の指掛け部３０の頂点と、ｌｉｎｅ３が通過する凹部４１に掛かった人差し指の断面中心との間の長手方向における長さをＳ２とする。また、ｈｌｉｎｅ１が通過する第１の指掛け部３０の頂点と、ｈｌｉｎｅ２が通過する凹部４１の上端部との間の長さをｈ３とする。
【００６０】
ここで、Ｓ１は、０ｍｍ〜３０ｍｍ、好ましくは５ｍｍ〜２５ｍｍである。すなわち、ｌｉｎｅ２が通過する第２の指掛け部５０の頂点は、ｌｉｎｅ１が通過する第１の指掛け部３０の頂点よりも前方寄りに設けられる。
【００６１】
また、Ｓ２は、８ｍｍ以上、好ましくは１０ｍｍ〜３０ｍｍ、より好ましくは１０ｍｍ〜２５ｍｍである。また、ｈ３は、−１０ｍｍ〜３０ｍｍ、好ましくは−５ｍｍ〜２０ｍｍである。
【００６２】
また、人差し指の断面半径を想定したｒ３は、６ｍｍ〜２０ｍｍ、好ましくは８ｍｍ〜１６ｍｍであるが、大人と子供で指の断面半径の大きさが事なるため、上記範囲内で適宜設定されれば良い。
【００６３】
なお、このような切断具１００、２００の作用部１０はどのような形状であっても良い。例えば、図５は、作用部１０が波型形状をした切断具３００を上方向から見た図である。このように、切断具１００は、横断方向に波打つ形状の作用部１０に、第一実施形態または第二実施形態に係る柄部２０が接続されたものであっても良い。
【００６４】
＜第三実施形態＞
図６は、第三実施形態に係る切断具（例えば、鋸、鎌および鉈など）４００に関する図である。特に、図６（ａ）は、切断具４００である鋸を上方向から見た平面図および横断方向から見た正面図を示している。また、図６（ｂ）は、切断具５００である鎌を横断方向から見た正面図を示している。また、図６（ｃ）は、切断具６００である鉈を横断方向から見た正面図を示している。
【００６５】
図６（ａ）に示すように、切断具（鋸）４００は、作用部１０と、柄部２０とを有し、柄部２０には、第１の指掛け部３０と、第２の指掛け部５０と、第３の指掛け部６０とが設けられている。なお、第１の指掛け部３０および第２の指掛け部５０は前述の第一実施形態と同様のため、詳細な説明は省略する。
【００６６】
第３の指掛け部６０は、切断具４００を握った際に、柄部に人差し指を通すための貫通穴である。図示するように、第３の指掛け部６０は、第１の指掛け部３０よりも柄部２０の後方側に隣接して形成されている。
【００６７】
切断具４００を握ると、柄部２０に設けられた貫通穴である第３の指掛け部６０に人差し指が通る。これにより、ユーザは、切断具４００をより強く握ることができ、より安定して切断対象物に力を加えることができる。
【００６８】
なお、柄部２０は、第一実施形態と異なり、作用部１０に対して略水平に接続されている。また、柄部２０の上側端部は、長手方向における第３の指掛け部６０より後方側の位置で上方向に膨らんだ丸みのある形状となっている。
【００６９】
また、柄部２０の下側端部は、第３の指掛け部６０より後方側の位置で、中指、薬指および小指の腹側を各々当接させる凹み４０が形成されている。かかる凹み４０は、長手方向に連続して形成されている。
【００７０】
このような柄部２０を有する切断具４００は、第３の指掛け部６０に人差し指を通すことができることから、切断対象物に対して作用部１０を押し付け易く、柄部２０を強い力で安定して握ることができる。
【００７１】
なお、これらの指掛け部（３０、５０、６０）を有する柄部を金鋸あるいは糸切などの切断具に適用しても良い。
【００７２】
また図６（ｂ）に示す切断具（鎌）５００は、図６（ａ）の切断具（鋸）４００に比べて、柄部２０の作用部側端部付近が長く形成されている。具体的には、切断具５００は、作用部側端部から第１の指掛け部３０まで所定の長さを有する接続部７０を有している。なお、接続部７０以外の構成は、前述の切断具（鋸）４００と同様の構成である。
【００７３】
一般的な形状の切断具（鎌）５００では、切断対象物（切断対象材）を切断する際、作用部１０との摩擦により、切断対象物には図の上方に向かって押し上げられる力が働く。そのため、切断の際は、切断対象物を図の下方向に押し付ける力が必要となる。本実施形態に係る形状の切断具（鎌）５００では、所定長さの接続部７０を有するため、柄部２０を図の下方向に押し付ける動作がスムーズになる。そのため、切断具５００は、切断対象物に充分な力を作用させつつ、より安定して切断対象物を切断することができる。
【００７４】
また、図６（ｃ）に示す切断具（鉈）６００は、切断具（鎌）５００と同様、作用部側端部から第１の指掛け部３０まで所定の長さを有する接続部７０を有している。なお、接続部７０の長さは任意であるが、本例では、切断具（鉈）６００の接続部７０は、切断具（鎌）５００の接続部７０よりも短い長さに形成されている。なお、接続部７０以外の構成は、前述の切断具（鋸）４００と同様の構成である。
【００７５】
また、柄部２０は、作用部１０に対して、長手方向における中心軸Ｘの後方側がやや上向きとなるように作用部１０に接続固定されている。
【００７６】
このような形状の切断具（鉈）６００は、所定長さの接続部７０を有し、所定角度で作用部１０と柄部２０とが接続固定されているため、作用部１０を切断対象物に強く叩き付けることができ、作用部１０が切断対象物（切断対象材）に当たった後、最後まで力が抜けにくくなっている。そのため、切断対象物に充分な力を作用させつつ、より安定して切断対象物を切断することができる。なお、切断具（鉈）６００の接続部７０を長く形成すると、切断具（斧）として適用することができる。また、このような切断具（鉈）６００の構造を、例えば玄翁（金槌）や鶴嘴に適用しても良い。
【００７７】
なお、図６（ｂ）に示す柄部２０を、例えば草取りなどの切断具や、作用部が複数本に分かれている掘り起こし、鍬、鋤あるいは熊手といった掘削具に適用しても良い。
【００７８】
図７は、本実施形態の柄部２０を適用した掘削具７００の一例を示した図である。このような掘削具７００によれば、掘削対象物に充分な力を作用させつつ、より安定して掘削対象物を掘ることができる。なお、掘削具７００の作用部の形状は特に限定されるものではなく、例えば棒状のものでも、鋤状のものでも、万能状のものでも良い。
【００７９】
＜第四実施形態＞
図８は、第四実施形態に係る切断具（カッターナイフ）８００に関する図である。特に、図８（ａ）は、切断具８００を上方向から見た平面図である。図８（ｂ）は、切断具８００を横断方向から見た正面図である。
【００８０】
これらの図に示すように、切断具８００は、作用部１０と、柄部２０とを有し、柄部２０には、第１の指掛け部３０と、第２の指掛け部５０と、凹部４０と、収容部８０とが設けられている。なお、第１の指掛け部３０、第２の指掛け部５０および凹部４０の形状は前述の第一実施形態と同様のため、詳細な説明は省略する。
【００８１】
柄部２０は、上下方向における略中央の位置であって、作用部側端部から後方側端部付近までの長さを有する収容部８０を有している。収容部８０には、稼働式の作用部１０が収容される。なお、第１の指掛け部３０および凹部４０は、かかる収容部８０よりも柄部２０の下側に設けられている。
【００８２】
このような切断具８００によっても、切断対象物に対して充分な力を作用させつつ、より安定して切断対象物を切断することができる。
【００８３】
なお、図４に示す第１の指掛け部３０および第２の指掛け部５０の位置関係は、第三実施形態および第四実施形態に係る切断具あるいは掘削具に適用されても良い。
【００８４】
また、第二実施形態で説明した切断具２００は、第２の指掛け部を備え、第１の指掛け部を備えていなくとも良い。また、第三実施形態で説明した切断具４００は、第３の指掛け部と、第１の指掛け部または第２の指掛け部と、を備えた構成であっても良い。
【００８５】
また、第一実施形態および第二実施形態の切断具１００、２００に設けられた凹部４１は、第３の指掛け部６０に置き換えられても良い。また、第三実施形態の切断具４００、切断具５００および切断具６００に設けられた第３の指掛け部６０は、凹部４１に置き換えられても良い。また、第四実施形態の切断具８００に設けられた凹部４１は、第３の指掛け部６０に置き換えられても良い。なお、掘削具７００についても同様に、切断具１００〜６００、８００の各特徴を適宜組み合わせて採用しても良い。
【００８６】
なお、前述の各実施形態では、右利きユーザが切断具を使用する場合を例に説明したが、左利きのユーザが使用する切断具は、横断方向において第１の指掛け部と第２の指掛け部との位置を入れ替えた（反転させる）ものであれば良い。
【符号の説明】
【００８７】
１００、２００、３００、４００、５００、６００、８００・・・切断具、７００・・・掘削具、
１０・・・作用部、２０・・・柄部、３０・・・第１の指掛け部、４０、４１・・・凹部、
５０・・・第２の指掛け部、６０・・・第３の指掛け部、７０・・・接続部、８０・・・収容部
【図１】
0006833219.tif 000002
【図２】
0006833219.tif 000003
【図３】
0006833219.tif 000004
【図４】
0006833219.tif 000005
【図５】
0006833219.tif 000006
【図６】
0006833219.tif 000007
【図７】
0006833219.tif 000008
【図８】
0006833219.tif 000009